(57)【要約】【課題】ＡＤＳＬ通信において設定すべき伝送速度を認知することができるＡＤＳＬ通信装置を提供することを目的とする。【解決手段】ＰＳＴＮ回線１８と接続する回線Ｉ／Ｆ部１１と、パソコン等の情報端末装置１９との接続を行う端末Ｉ／Ｆ部１３と、回線Ｉ／Ｆ部や情報端末装置１９からのデータの変復調を行うＡＤＳＬモデム１４と、文字や数字などを表示する表示部１７と、回線Ｉ／Ｆ部１１を介してＡＤＳＬモデムが接続されるプロバイダ側の管理装置と通信を行う通信制御部１５とを有し、通信制御部１５は、管理装置との通信において送受信したデータの伝送速度を液晶表示部１７に表示する。【選択図】　図１
2004015274.tif 000002
【特許請求の範囲】
【請求項１】
加入者電話回線と接続する回線Ｉ／Ｆ部と、パソコン等の情報端末装置との接続を行う端末Ｉ／Ｆ部と、前記回線Ｉ／Ｆ部や前記情報端末装置からのデータの変復調を行うＡＤＳＬモデムと、文字や数字などを表示する表示部と、前記回線Ｉ／Ｆ部を介して前記ＡＤＳＬモデムが接続されるプロバイダ側の管理装置と通信を行う通信制御部とを有し、
前記通信制御部は、前記管理装置との通信において送受信したデータの伝送速度を前記表示部に表示することを特徴とするＡＤＳＬ通信装置。
【請求項２】
伝送速度向上のためのワンポイントアドバイスや通信履歴情報、伝送速度ランキングなどを蓄積するデータ蓄積部を備え、前記通信制御部は、前記送受信したデータの伝送速度に基づいて通信状況を判定し、前記判定した通信状況が良くない場合や伝送速度を向上させたい場合には前記表示部に前記データ蓄積部からのワンポイントアドバイスを表示させると共に、前記データ蓄積部からの通信履歴情報や伝送速度ランキングをも前記表示部に表示させることを特徴とする請求項１に記載のＡＤＳＬ通信装置。
【発明の詳細な説明】
【０００１】
【発明の属する技術分野】
本発明は、ＡＤＳＬによりインターネット接続等を行う際に使用するＡＤＳＬ通信装置に関するものである。
【０００２】
【従来の技術】
ＡＤＳＬ（Ａｓｙｍｍｅｔｒｉｃ　Ｓｕｂｓｃｒｉｂｅｒ　Ｌｉｎｅ）の技術は、電話局から各家庭・事業所等にまで引かれている銅線の加入者電話回線（Ｓｕｂｓｃｒｉｂｅｒ　Ｌｉｎｅ）を利用して、数Ｍ〜十数Ｍｂｐｓの高速データ通信を可能にするものである。現在のアナログ電話回線では、０〜４ｋＨｚ程度の音声帯域しか利用していないが、ＡＤＳＬではそれよりも高い部分の周波数帯域を使って、高速なデジタル通信を可能にしている。電話局と加入者宅とを結ぶ加入者電話回線（以下、「加入者線」ともいう）の両端にＡＤＳＬモデム装置を取り付け、このモデム装置間（つまり電話局のモデム装置と加入者宅のモデム装置との間）での高速なデータ通信を実現する。但し、距離が長くなると減衰やノイズの影響などによって最大転送レートが下がる為、通常は電話局から数ｋｍまでの範囲でしか利用する事が出来ない。また、「Ａｓｙｍｍｅｔｒｉｃ」（非対称）という名のとおり、ＡＤＳＬは非対称型の通信技術であり、電話局から利用者（加入者宅）に向けた下り方向では最大１２Ｍｂｐｓ程度のデータ転送が可能で、逆に利用者から電話局に向けた上り方向では最大２Ｍｂｐｓ程度のデータ転送が可能である。個人ないしＳＯＨＯ（Ｓｍａｌｌ　Ｏｆｆｉｃｅ　Ｈｏｍｅ　Ｏｆｆｉｃｅ）などからの一般的なインターネットアクセスでは、上り方向（ユーザ→インターネット方向）の通信量よりも、下り方向（インターネット→ユーザ方向）の通信量が圧倒的に多い。そのため下りの回線容量を多くして、ＶＯＤ（Ｖｉｄｅｏ　ｏｎ　Ｄｅｍａｎｄ）などの用途でも快適に使えるようにしている。
【０００３】
図３は、従来のＡＤＳＬ通信装置を示すブロック図である。
【０００４】
図３において、１はＡＤＳＬ通信装置（例えばＡＤＳＬモデム装置）、１１は加入者線と一般に呼ばれる従来の電話回線（ＰＳＴＮ回線、メタルケーブル）１８（後述）と接続する回線Ｉ／Ｆ部、１２は伝送されるデータの変復調を行うＡＤＳＬモデム１４（後述）を制御するモデム制御部、１３はパソコン等の情報端末装置１９（後述）との接続を行う端末Ｉ／Ｆ部、１４はデータの変復調を行うＡＤＳＬモデム、１５はＡＤＳＬモデム装置１全体の制御および通信に関する制御を行う通信制御部、１８はＡＤＳＬによりデータ通信を行う為のＰＳＴＮ回線、１９は端末Ｉ／Ｆ部１３に接続されるパソコン等の情報端末装置である。
【０００５】
このように構成されたＡＤＳＬ通信装置について、その動作を説明する。
【０００６】
インターネット接続を行うために情報端末装置１９からユーザが操作を行うと、情報端末装置１９は、端末Ｉ／Ｆ部１３、モデム制御部１２、ＡＤＳＬモデム１４、回線Ｉ／Ｆ部１１、ＰＳＴＮ回線１８を介してインターネットに接続され、電話局側ＡＤＳＬ通信装置とデータが送受信される。通信スピードに関しては通常、電話局側ＡＤＳＬ通信装置により、Ｒａｔｅ　Ａｄａｐｔｉｖｅ（レートアダプティブ）に設定される。レートアダプティブに設定されるとは、回線の状態（ここではＳ／Ｎ比）に応じて伝送速度を調整することを意味する。この機能は、アナログモデムでも通信速度の自動調整を行うが、それと同様の機能である。ＡＤＳＬモデム装置１の場合、電話局側ＡＤＳＬモデム装置と加入者宅側ＡＤＳＬモデム装置との間で、初期化時にいくつかの周波数の信号を互いに通信し、そのＳ／Ｎ比を測定して伝送速度を決定する。ＡＤＳＬモデム装置によっては、稼働中に定期的に伝送速度の調整を行うものもある。
【０００７】
【発明が解決しようとする課題】
このように、従来のＡＤＳＬ通信装置では、自動的に回線の状態に応じて伝送速度を調整したり、定期的にその調整動作を行ったりはするが、実際どのくらいの伝送速度でデータ通信を行っているかはわからないという問題点を有していた。もし実際の伝送速度を知ろうとする場合は、実際にＡＤＳＬ通信装置を使ってデータの送受信を行ってから通信速度を計算・算出して表示させる必要があり、したがって、ユーザは、インターネット等を利用して初めて、通信速度を知り得ることができる。たとえば、ＡＤＳＬなどの高速常時接続でベストエフォート型のものは、同時に接続しているユーザ数が多ければ多いほど、ユーザが期待している程の通信速度が得られないことがあり、ユーザは実際にインターネット接続して使ってみないと、どれくらいの通信速度が得られるのかを認知できなかった。
【０００８】
このＡＤＳＬ通信装置では、ＡＤＳＬ通信において設定すべき伝送速度を認知することができることが要求されている。
【０００９】
本発明は、この要求を満たすため、ＡＤＳＬ通信において設定すべき伝送速度を認知することができるＡＤＳＬ通信装置を提供することを目的とする。
【００１０】
【課題を解決するための手段】
上記課題を解決するために本発明のＡＤＳＬ通信装置は、加入者電話回線と接続する回線Ｉ／Ｆ部と、パソコン等の情報端末装置との接続を行う端末Ｉ／Ｆ部と、回線Ｉ／Ｆ部や情報端末装置からのデータの変復調を行うＡＤＳＬモデムと、文字や数字などを表示する表示部と、回線Ｉ／Ｆ部を介してＡＤＳＬモデムが接続されるプロバイダ側の管理装置と通信を行う通信制御部とを有し、通信制御部は、管理装置との通信において送受信したデータの伝送速度を表示部に表示する構成を備えている。
【００１１】
これにより、ＡＤＳＬ通信において設定すべき伝送速度を認知することができるＡＤＳＬ通信装置が得られる。
【００１２】
【発明の実施形態】
本発明の請求項１に記載のＡＤＳＬ通信装置は、加入者電話回線と接続する回線Ｉ／Ｆ部と、パソコン等の情報端末装置との接続を行う端末Ｉ／Ｆ部と、回線Ｉ／Ｆ部や情報端末装置からのデータの変復調を行うＡＤＳＬモデムと、文字や数字などを表示する表示部と、回線Ｉ／Ｆ部を介してＡＤＳＬモデムが接続されるプロバイダ側の管理装置と通信を行う通信制御部とを有し、通信制御部は、管理装置との通信において送受信したデータの伝送速度を表示部に表示することとしたものである。
【００１３】
この構成により、実際にインターネット接続等を行ってデータを送受信しなくてもユーザは前もって実際のデータ伝送速度を表示部を見て知ることができるので、ＡＤＳＬ通信において設定すべき伝送速度を認知することができ、回線状態に適応する伝送速度に調整することができるという作用を有する。
【００１４】
請求項２に記載のＡＤＳＬ通信装置は、請求項１に記載のＡＤＳＬ通信装置において、伝送速度向上のためのワンポイントアドバイスや通信履歴情報、伝送速度ランキングなどを蓄積するデータ蓄積部を備え、通信制御部は、送受信したデータの伝送速度に基づいて通信状況を判定し、判定した通信状況が良くない場合や伝送速度を向上させたい場合には表示部にデータ蓄積部からのワンポイントアドバイスを表示させると共に、データ蓄積部からの通信履歴情報や伝送速度ランキングをも表示部に表示させることとしたものである。
【００１５】
この構成により、ユーザは通信状況を把握することができ、通信履歴情報や伝送速度ランキングをも把握することができるので、ユーザの不安感や不信感を払拭することができ、各加入者宅でのＡＤＳＬの能力を簡単に把握することができるという作用を有する。
【００１６】
以下、本発明の実施の形態について、図１、図２を参照しながら説明する。
【００１７】
（実施の形態１）
図１は、本発明の実施の形態１によるＡＤＳＬ通信装置を示すブロック図である。
【００１８】
図１において、回線Ｉ／Ｆ部１１、モデム制御部１２、端末Ｉ／Ｆ部１３、ＡＤＳＬモデム１４、通信制御部１５、ＰＳＴＮ回線１８、情報端末装置１９は図３と同様のものなので、同一符号を付し、説明は省略する。１はＡＤＳＬ通信装置、１６は後述の液晶表示部１７を制御する表示制御部、１７は伝送速度やメッセージ等を表示する表示部としての液晶表示部である。
【００１９】
このように構成されたＡＤＳＬ通信装置１について、動作を説明する。
【００２０】
ＡＤＳＬ通信装置１の電源をＯＮし、インターネット接続を行うために情報端末装置１９からユーザが操作を行うと、情報端末装置１９は端末Ｉ／Ｆ部１３、モデム制御部１２、ＡＤＳＬモデム１４、回線Ｉ／Ｆ部１１、ＰＳＴＮ回線１８を介してインターネット接続されるが、インターネットとの接続確立を行う前に電話局側ＡＤＳＬ通信装置と接続確立のためのトレーニングデータが送受信される。このトレーニングデータは、電話局側ＡＤＳＬ通信装置と加入者宅ＡＤＳＬ通信装置との間で、いくつかの周波数の信号を互いに通信し、その時の回線の状態（ここではＳ／Ｎ比）を測定して伝送速度を決定する。伝送速度に関しては通常、電話局側ＡＤＳＬ通信装置により、Ｒａｔｅ　Ａｄａｐｔｉｖｅ（レートアダプティブ）に設定される。レートアダプティブに設定されるとは、上記回線の状態（Ｓ／Ｎ比）に応じて伝送速度を調整することを意味する。そして、このトレーニングデータの送受信により接続が確立された伝送速度及び回線の状態（Ｓ／Ｎ比）のデータは通信制御部１５によって管理される。また、通信制御部１５により管理される個々のデータは、液晶表示部１７を制御する表示制御部１６の制御のもと、液晶表示部１７に表示される。たとえば伝送速度や回線の状態（Ｓ／Ｎ比）は具体的数値で表示される。このように、伝送速度や現在の回線の状態（Ｓ／Ｎ比）のデータを知らせる事で、ＡＤＳＬユーザの不信感を拭い去ったり、個々のユーザ宅でのＡＤＳＬ通信の能力を具体的数値で簡単に把握する事ができる。
【００２１】
以上のように本実施の形態によれば、ＰＳＴＮ回線１８と接続する回線Ｉ／Ｆ部１１と、パソコン等の情報端末装置１９との接続を行う端末Ｉ／Ｆ部１３と、回線Ｉ／Ｆ部１１や情報端末装置１９からのデータの変復調を行うＡＤＳＬモデム１４と、文字や数字などを表示する液晶表示部１７と、回線Ｉ／Ｆ部１１を介してＡＤＳＬモデム１４が接続されるプロバイダ側の管理装置と通信を行う通信制御部１５とを有し、通信制御部１５は、管理装置との通信において送受信したデータの伝送速度を液晶表示部１７に表示することにより、実際にインターネット接続等を行ってデータを送受信しなくてもユーザは前もって実際のデータ伝送速度を液晶表示部１７を見て知ることができるので、ＡＤＳＬ通信において設定すべき伝送速度を認知することができ、回線状態に適応する伝送速度に調整することができる。
【００２２】
（実施の形態２）
図２は、本発明の実施の形態２によるＡＤＳＬ通信装置を示すブロック図である。
【００２３】
図２において、回線Ｉ／Ｆ部１１、モデム制御部１２、端末Ｉ／Ｆ部１３、ＡＤＳＬモデム１４、通信制御部１５、表示制御部１６、液晶表示部１７、ＰＳＴＮ回線１８、情報端末装置１９は図３と同様のものなので、同一符号を付し、説明は省略する。１はＡＤＳＬ通信装置、２０はワンポイントアドバイスや伝送速度のデータ、通信履歴情報などを蓄積するデータ蓄積部である。
【００２４】
このように構成されたＡＤＳＬ通信装置について、動作を説明する。
【００２５】
実施の形態１と同様に、ＡＤＳＬ通信装置１の電源をＯＮし、インターネット接続を行うために情報端末装置１９からユーザが操作を行うと、情報端末装置１９は端末Ｉ／Ｆ部１３、モデム制御部１２、ＡＤＳＬモデム１４、回線Ｉ／Ｆ部１１、ＰＳＴＮ回線１８を介してインターネット接続されるが、インターネットとの接続確立を行う前に電話局側ＡＤＳＬ通信装置と接続確立のためのトレーニングデータが送受信される。このトレーニングデータは、電話局側ＡＤＳＬ通信装置と加入者宅ＡＤＳＬ通信装置との間で、いくつかの周波数の信号を互いに通信し、その時の回線の状態（ここではＳ／Ｎ比）を測定して伝送速度を決定する。伝送速度に関しては通常、電話局側ＡＤＳＬ通信装置により、Ｒａｔｅ　Ａｄａｐｔｉｖｅ（レートアダプティブ）に設定される。レートアダプティブに設定されるとは、上記回線の状態（Ｓ／Ｎ比）に応じて伝送速度を調整することを意味する。そして、このトレーニングデータの送受信により接続が確立された伝送速度及び回線の状態（Ｓ／Ｎ比）のデータは通信制御部１５によって管理される。そして、その伝送速度やＳ／Ｎ比のデータ等の通信履歴の情報は、データ蓄積部２０に保存される。もし回線の状態があまり良くなく、伝送速度が極端に遅い場合には、どのような対処をすれば伝送速度が改善されるか、また伝送速度を現状よりも更に向上したい時はどのような対処をすればいいのか等の簡単なワンポイントアドバイスを同様にデータ蓄積部２０に保存しておき、上記通信履歴情報に応じて、液晶表示部１７を制御する表示制御部１６の制御のもと、液晶表示部１７に表示する。また、上記伝送速度等の通信履歴情報より、時間帯等による伝送速度のスピードランキングを液晶表示部１７に表示することができる。このように、通信状況が良くない場合や伝送速度を向上させたい場合には液晶表示部１７にワンポイントアドバイスを表示させると共に、通信履歴情報や伝送速度ランキングをも液晶表示部１７に表示させるようにしたことにより、パソコン等の情報端末装置１９を操作する初心者には大変便利なＡＤＳＬ通信装置である。
【００２６】
以上のように本実施の形態によれば、伝送速度向上のためのワンポイントアドバイスや通信履歴情報、伝送速度ランキングなどを蓄積するデータ蓄積部２０を備え、通信制御部１５は、送受信したデータの伝送速度に基づいて通信状況を判定し、判定した通信状況が良くない場合や伝送速度を向上させたい場合には液晶表示部１７にデータ蓄積部２０からのワンポイントアドバイスを表示させると共に、データ蓄積部２０からの通信履歴情報や伝送速度ランキングをも液晶表示部１７に表示させることにより、ユーザは通信状況を把握することができ、通信履歴情報や伝送速度ランキングをも把握することができるので、ユーザの不安感や不信感を払拭することができ、各加入者宅でのＡＤＳＬの能力を簡単に把握することができる。
【００２７】
【発明の効果】
以上説明したように本発明の請求項１に記載のＡＤＳＬ通信装置によれば、加入者電話回線と接続する回線Ｉ／Ｆ部と、パソコン等の情報端末装置との接続を行う端末Ｉ／Ｆ部と、回線Ｉ／Ｆ部や情報端末装置からのデータの変復調を行うＡＤＳＬモデムと、文字や数字などを表示する表示部と、回線Ｉ／Ｆ部を介してＡＤＳＬモデムが接続されるプロバイダ側の管理装置と通信を行う通信制御部とを有し、通信制御部は、管理装置との通信において送受信したデータの伝送速度を表示部に表示することにより、実際にインターネット接続等を行ってデータを送受信しなくてもユーザは前もって実際のデータ伝送速度を表示部を見て知ることができるので、ＡＤＳＬ通信において設定すべき伝送速度を認知することができ、回線状態に適応する伝送速度に調整することができるという有利な効果が得られる。
【００２８】
請求項２に記載のＡＤＳＬ通信装置によれば、請求項１に記載のＡＤＳＬ通信装置において、伝送速度向上のためのワンポイントアドバイスや通信履歴情報、伝送速度ランキングなどを蓄積するデータ蓄積部を備え、通信制御部は、送受信したデータの伝送速度に基づいて通信状況を判定し、判定した通信状況が良くない場合や伝送速度を向上させたい場合には表示部にデータ蓄積部からのワンポイントアドバイスを表示させると共に、データ蓄積部からの通信履歴情報や伝送速度ランキングをも表示部に表示させることにより、ユーザは通信状況を把握することができ、通信履歴情報や伝送速度ランキングをも把握することができるので、ユーザの不安感や不信感を払拭することができ、各加入者宅でのＡＤＳＬの能力を簡単に把握することができるという有利な効果が得られる。
【図面の簡単な説明】
【図１】本発明の実施の形態１によるＡＤＳＬ通信装置を示すブロック図
【図２】本発明の実施の形態２によるＡＤＳＬ通信装置を示すブロック図
【図３】従来のＡＤＳＬ通信装置を示すブロック図
【符号の説明】
１、１　ＡＤＳＬ通信装置（ＡＤＳＬモデム装置）
１１　回線Ｉ／Ｆ部
１２　モデム制御部
１３　端末Ｉ／Ｆ部
１４　ＡＤＳＬモデム
１５　通信制御部
１６　表示制御部
１７　液晶表示部
１８　ＰＳＴＮ回線
１９　情報端末装置
２０　データ蓄積部
【図１】
2004015274.tif 000003
【図２】
2004015274.tif 000004
【図３】
2004015274.tif 000005